(57)【要約】      （修正有）【課題】右手用グリップハンドルに操作管の伸縮可能状態と伸縮不可能状態とを選択できる機能を付与しつつ、右手用グリップハンドルを手の甲を下にして握持したままの右手でスロットルレバーの操作を可能とした携帯式動力刈払機を提供する。【解決手段】操作管１００と、右手用グリップハンドル３００と、回転刃とを備え、回転刃の操作管１００に対する角度を変更可能な携帯式動力刈払機において、右手用グリップハンドル３００は、第１部分１１０に固定状に設けられた支持軸３１０と、支持軸３１０に套嵌されて支持軸３１０周りに回転操作可能であり、緩み方向または締めつけ方向に回転させることにより、第１部分１１０と第２部分１２０との相対移動可能状態と相対移動不能状態とを選択できるグリップ部材３２０と、支持軸３１０の先端部に支持され、動力源の回転数を制御可能なスロットル制御手段３８０と、を含んで構成されている。【選択図】図３
2014033660.tif 000002
【特許請求の範囲】
【請求項１】
基端側の第１部分と先端側の第２部分とが軸方向に相対移動可能に組み合わされた操作管と、上記第１部分に設けられ、緩み方向または締めつけ方向に回転させることにより、上記第１部分と上記第２部分との相対移動可能状態と相対移動不能状態とを選択できる右手用グリップハンドルと、上記第２部分に設けられた左手用グリップハンドルと、上記操作管の先端に支持され、上記操作管に通挿した伝動軸を介して動力源の回転出力により回転させられる回転刃と、を備え、上記第１部分と上記第２部分との相対移動可能状態において上記第１部分と上記第２部分とを相対移動させて上記操作管を伸縮させることにより、上記回転刃の上記操作管に対する角度を変更可能な携帯式動力刈払機において、
上記右手用グリップハンドルは、上記第１部分に固定状に設けられた支持軸と、当該支持軸に套嵌されて当該支持軸周りに回転操作可能であり、緩み方向または締めつけ方向に回転させることにより、上記第１部分と上記第２部分との相対移動可能状態と相対移動不能状態とを選択できるグリップ部材と、上記支持軸の先端部に支持され、上記動力源の回転数を制御可能なスロットル制御手段と、を含んで構成されていることを特徴とする、携帯式動力刈払機。
【請求項２】
上記第２部分は、その基端側が上記第１部分の先端側に挿通されているとともに、上記第１部分の先端には、前方に開放するスリットが形成されており、上記グリップ部材を緩み方向に回転させると上記スリットの幅が拡大して上記第１部分と上記第２部分とが相対移動可能状態となり、上記グリップ部材を締めつけ方向に回転させると上記スリットの幅が縮小して上記第１部分と上記第２部分とが相対移動不能状態となる、請求項１に記載の携帯式動力刈払機。
【請求項３】
上記第１部分には、上記スリットを挟んで延出する一対の耳片が形成されているとともに、上記グリップ部材には、ねじ軸が設けられており、上記グリップ部材を回転させて上記ねじ軸を緩み方向または締めつけ方向に回転させることにより、上記一対の耳片間の間隔が変化して、上記スリットの幅が変化させられる、請求項２に記載の携帯式動力刈払機。
【請求項４】
上記第１部分には、作業者の右肘を下方から受け止めて支持する肘当て部材が設けられている、請求項１ないし３のいずれかに記載の携帯式動力刈払機。
【請求項５】
上記スロットル制御手段は、基端が上記支持軸の先端に設けた支持ブロックに回動可能に支持され、先端が上記操作管に向かって延びるレバーを含む、請求項１ないし４のいずれかに記載の携帯式動力刈払機。
【請求項６】
上記スロットル制御手段は、上記動力源を停止させるためのストップボタンをさらに含む、請求項５に記載の携帯式動力刈払機。
【請求項７】
上記動力源は、背負い枠に搭載されており、上記動力源と上記操作管とは、上記伝動軸を内挿する可撓管によって連結されている、請求項１ないし６のいずれかに記載の携帯式動力刈払機。
【発明の詳細な説明】
【技術分野】
【０００１】
本発明は、地表に生育する雑草等を刈払う作業に用いる携帯式動力刈払機に関する。
【背景技術】
【０００２】
携帯式動力刈払機には、たとえば、特許文献１に示されているものがある。同文献に示されている携帯式動力刈払機は、背負い枠に搭載したエンジンの回転出力を可撓管ないし操作管内に通挿した伝動軸の軸転を介して操作管の先端に支持した回転刃に伝え、この回転刃を回転させるようになっている。また、この携帯式動力刈払機は、操作管に対する回転刃の角度を変更操作できるようになっている。
【０００３】
上記の携帯式動力刈払機は、回転刃の角度を変更操作可能とするために、次の構成を採用している。回転刃取付け軸に取付けた回転刃を回転可能に支持する回転刃支持部材が、操作管の先端から斜め下方に延出させたステーに対して横方向軸を中心として前後方向に揺動可能に支持されている。操作管は、基端側部分と先端側部分とに分割され、両者は軸方向に相対移動可能に組み合わされている。伝動軸は、操作管内に通挿した剛性管ないしこの剛性管の先端と回転刃支持部材との間に介装された可撓管内に通挿され、先端が回転刃取付け軸に連結されている。剛性管は、操作管の基端側部分に対して軸方向相対移動不能に係止されている。操作管の基端側部分と先端側部分とは、基端側部分に右方に延びるように設けたグリップハンドル（右手用）を締めつけ方向に回転させてその先端のねじ部を上記先端側部分の外面に押しつけた状態とすることにより、軸方向相対移動不能に固定され、上記グリップハンドルを緩め方向に回転させることにより、軸方向相対移動可能となる。また、操作管の先端側部分には、左方に延びる左手用のグリップハンドルが固定的に設けられている。
【０００４】
右手用グリップハンドルを緩め方向に回転させ、操作管の基端側部分と先端側部分とが相対移動可能な状態とした上で左手用グリップハンドルを前方に押し出すようにして、操作管の先端側部分を基端側部分に対して前進方向に移動させることにより操作管の全長を伸ばすと、可撓管が操作管内に引き込まれ、回転刃はその先端側が持ち上がるように回動する。左手用グリップハンドルを手前方向に引き寄せるようにして、操作管の先端側部分を基端側部分に対して後退方向に移動させることにより操作管の全長を短縮させると、可撓管が操作管の先端から進出し、回転刃はその先端側が押し下げられるように回動する。このようにして操作管に対する回転刃の角度を所望の角度に調整した状態は、右手用のグリップハンドルを締めつけ方向に回転させることにより、固定される。作業者は、上記のようにして左手用グリップハンドルと右手用グリップハンドルとを握持することによって操作管を支持し、所望の角度に調整した回転刃を回転させつつ、操作管を左右に振回して刈払い作業を行う。
【０００５】
この種の携帯式動力刈払機においては、エンジンの回転数を制御するためのスロットルレバーが、特許文献１の第１図にも表れているように、操作管における右手用のグリップハンドルに近い位置に設けられるのが通常である。このようなスロットルレバーの配置においては、右手用グリップハンドルを手の甲を上にして握持する場合には、グリップハンドルを握持した右手の親指または人指し指がスロットルレバーに届くので、刈払い作業を行いつつ、スロットルレバーを操作し、回転刃の回転数を変更することが可能である。
【０００６】
ところで、背負い枠にエンジンを搭載した形式の携帯式動力刈払機においては、操作管をより楽に支持してその左右振回操作を行えるように、特許文献２に示されるように、操作管の基端に、右前腕基部（右肘）を支持する肘当て部材を設けた構成を採用する場合がある。この場合、右手用グリップハンドルは、右肘を肘当て部材に支持させた上で、右手によりその甲を下にして握持される。
【０００７】
この場合には、右手用グリップハンドルを握持する右手の親指あるいは人差し指が右手用グリップハンドルの先端側に位置する。そうすると、特許文献１のようにスロットルレバーが操作管に設けられていると、右手用グリップハンドルを握持したままスロットルレバーを操作することができず、一時的に左手用グリップハンドルから離した左手によってスロットルレバーを操作せざるをえなくなる。その結果、スロットルレバーの操作による回転刃の回転数の変更を迅速に行うことができなくなるばかりか、左右の手で左手用グリップハンドルと右手用グリップハンドルとをしっかりと握持してこそ維持される操作管の支持安定性が、スロットルレバーの操作の際に崩れ、このことは、操作管を左右に振回して行う刈払い作業の操作性を悪化させてしまう。
【先行技術文献】
【特許文献】
【０００８】
【特許文献１】実公昭５７−３８９７４号公報
【特許文献２】特開２００４−２２２５５７号公報
【発明の概要】
【発明が解決しようとする課題】
【０００９】
本発明は、上記した事情のもとで考え出されたものであって、右手用グリップハンドルに操作管の伸縮可能状態と伸縮不可能状態とを選択できる機能を付与しつつ、右手用グリップハンドルを手の甲を下にして握持したままの右手でスロットルレバーの操作を可能とした携帯式動力刈払機を提供することをその課題とする。
【課題を解決するための手段】
【００１０】
上記の課題を解決するため、本発明では、次の技術的手段を採用した。
【００１１】
すなわち、本発明によって提供される携帯式動力刈払機は、基端側の第１部分と先端側の第２部分とが軸方向に相対移動可能に組み合わされた操作管と、上記第１部分に設けられ、緩み方向または締めつけ方向に回転させることにより、上記第１部分と上記第２部分との相対移動可能状態と相対移動不能状態とを選択できる右手用グリップハンドルと、上記第２部分に設けられた左手用グリップハンドルと、上記操作管の先端に支持され、上記操作管に通挿した伝動軸を介して動力源の回転出力により回転させられる回転刃と、を備え、上記第１部分と上記第２部分との相対移動可能状態において上記第１部分と上記第２部分とを相対移動させて上記操作管を伸縮させることにより、上記回転刃の上記操作管に対する角度を変更可能な携帯式動力刈払機において、上記右手用グリップハンドルは、上記第１部分に固定状に設けられた支持軸と、当該支持軸に套嵌されて当該支持軸周りに回転操作可能であり、緩み方向または締めつけ方向に回転させることにより、上記第１部分と上記第２部分との相対移動可能状態と相対移動不能状態とを選択できるグリップ部材と、上記支持軸の先端部に支持され、上記動力源の回転数を制御可能なスロットル制御手段と、を含んで構成されていることを特徴とする。
【００１２】
好ましい実施の形態では、上記第２部分は、その基端側が上記第１部分の先端側に挿通されているとともに、上記第１部分の先端には、前方に開放するスリットが形成されており、上記グリップ部材を緩み方向に回転させると上記スリットの幅が拡大して上記第１部分と上記第２部分とが相対移動可能状態となり、上記グリップ部材を締めつけ方向に回転させると上記スリットの幅が縮小して上記第１部分と上記第２部分とが相対移動不能状態となる。
【００１３】
好ましい実施の形態では、上記第１部分には、上記スリットを挟んで延出する一対の耳片が形成されているとともに、上記グリップ部材には、ねじ軸が設けられており、上記グリップ部材を回転させて上記ねじ軸を緩み方向または締めつけ方向に回転させることにより、上記一対の耳片間の間隔が変化して、上記スリットの幅が変化させられる。
【００１４】
好ましい実施の形態では、上記第１部分には、作業者の右肘を下方から受け止めて支持する肘当て部材が設けられている。
【００１５】
好ましい実施の形態では、上記スロットル制御手段は、基端が上記支持軸の先端に設けた支持ブロックに回動可能に支持され、先端が上記操作管に向かって延びるレバーを含む。
【００１６】
好ましい実施の形態ではまた、上記スロットル制御手段は、上記動力源を停止させるためのストップボタンをさらに含む。
【００１７】
好ましい実施の形態では、上記動力源は、背負い枠に搭載されており、上記動力源と上記操作管とは、上記伝動軸を内挿する可撓管によって連結されている。
【００１８】
このような構成によれば、右手用グリップハンドルを手の甲を下にして握持した右手の親指または人差し指が届く位置にスロットル制御手段が位置する。したがって、右手用グリップハンドルを手の甲を下にして握持したまま、グリップ部材を緩み方向に回転させて操作管の第１部分と第２部分とを相対移動な状態とし、操作管を伸縮させて回転刃の角度の調整をする操作と、スロットル制御手段の操作との両方が可能となる。このことは、左手用グリップハンドルを左手で、右手用グリップハンドルを右手で握持し、操作管を安定的に支持した状態において、回転刃の角度調整操作と、スロットル制御手段の操作とを行えることを意味し、刈払い作業の安全性と操作性が著しく高まる。
【００１９】
本発明のその他の特徴および利点は、図面を参照して以下に行う詳細な説明から、より明らかとなろう。
【図面の簡単な説明】
【００２０】
【図１】本発明の第１の実施形態に係る携帯式動力刈払機の全体斜視図である。
【図２】図１に示す携帯式動力刈払機の部分拡大側面図である。
【図３】図１に示す携帯式動力刈払機の部分拡大水平断面図である。
【図４】図３のＩＶ−ＩＶ線に沿う断面図である。
【図５】図３のＶ−Ｖ矢視図である。
【図６】本発明の第２の実施形態に係る携帯式動力刈払機を示す図３と同様の図である。
【図７】図６のＶＩＩ−ＶＩＩ線に沿う断面図である。
【発明を実施するための形態】
【００２１】
以下、本発明の好ましい実施の形態につき、図面を参照して具体的に説明する。図１ないし図５は、第１の実施形態に係る携帯式動力刈払機１０Ａを示す。
【００２２】
図１に示すように、この携帯式動力刈払機１０Ａは、直線状に延びる操作管１００と、この操作管１００の基端部にジャバラ管等の可撓管２２０を介して連結され、背負い枠２００に搭載された動力源としてのエンジン２１０と、操作管１００の先端部に取付けられた回転刃１７０とを備える。
【００２３】
操作管１００は、基端側の第１部分１１０と、先端側の第２部分１２０とを備え、いずれもアルミニウム等の軽量金属製である。第１部分１１０は第２部１２０の外径と対応した内径を有しており、第１部分１１０と第２部分１２０とは、第２部分１２０の基端側が第１部分１１０の先端から軸方向相対スライド移動可能に挿入されて組み合わされている。第１部分１１０には、右方に向けて延びる右手用グリップハンドル３００と、当該第１部分１１０の基端方において、作業者の右肘を下方から受け止めるように支持する肘当て部材４００とが設けられている。第２部分１２０の長手方向所定部位には、左方に向けて延びる左手用グリップハンドル５００が設けられている。
【００２４】
図１、図２に示すように、第２部分１２０の先端部には、斜め下方を向いて前方に延びるステー１５０が設けられており、このステー１５０には、回転刃支持部材１６０が横方向軸１５１を中心として回動可能に支持されている。この回転刃支持部材１６０は、回転刃取付け軸１６１を備え、この回転刃取付け軸１６１に回転刃１７０が取付けられている。
【００２５】
回転刃１７０は、エンジン２１０の出力軸の回転を伝動軸１０１を介して伝達することにより回転させられる。より具体的には、エンジン２１０と操作管１００（第１部分１１０）の基端を連結する可撓管２２０と、操作管１００の内部に通挿されて操作管１００に対して軸方向相対移動不能に係止された鞘部材１０２と、この鞘部材１０２の先端と回転刃支持部材１６０とを連結するジャバラ管等の可撓管１０３に一連に通挿された一定長さの伝動軸１０１の基端がエンジン２１０の出力軸に、先端が回転刃取り付け軸１６１に連結されている。伝動軸１０１は、少なくとも可撓管２２０と可撓管１０３の内部に通挿される部分は、可撓性を有する。鞘部材１０２は、剛性管であってもよいし、可撓管であってもよい。可撓管２２０、鞘部材１０２、および可撓管１０３は、基本的に軸方向に伸縮することはなく、これらをあわせた一定の全長を維持する。また、上記したように、可撓管２２０または鞘部材１０２は、操作管１００の第１部分１１０に対して軸方向移動不能に係止されている。
【００２６】
右手用グリップハンドル３００は、図３に良く表れているように、操作管１００の第１部分１１０に固定状に取付けられた支持軸３１０と、この支持軸３１０に套嵌され、この支持軸３１０周りに回転可能なグリップ部材３２０と、支持軸３１０の先端に設けられたスロットル制御手段３８０とを備える。スロットル制御手段３８０は、支持軸３１０の先端に固定された支持ブロック３８１に対してその前方側において基端が揺動可能に支持され、グリップ部材３２０に対して間隔を開けて操作管１００に向かって延びるスロットルレバー３８２の形態をもっている。また、グリップ部材３２０は、これを緩み方向に回転させることにより第１部材１１０と第２部材１２０とを軸方向相対移動可能な状態とし、締めつけ方向に回転させることにより第１部材１１０と第２部材１２０とが相対移動不能な状態とすることができる機能を有する。以下、これを具体的に説明する。
【００２７】
図３、図４に示すように、操作管１００の第１部分１１０の先端部の上面部分には、前端が開放し、第１部分１１０の軸線方向に延びるスリット１１１が形成されている。また、当該第１部分１１０の先端の上面には、スリット１１１を挟むようにして第１の耳片６１０と第２の耳片６５０とが上方に向けて突出するようにして形成されている。これら第１の耳片６１０と第２の耳片６５０は、所定の厚みをもっているとともに、共通の横方向に延びる軸線をもつ貫通穴６２０，６６０が形成されており、これら貫通穴６２０，６６０が形成された部位は、ボス状の形態となっている。
【００２８】
第１の耳片６１０の貫通穴６２０は、外方側の丸穴部６２１と、内方側のねじ穴部６２２とを備え、ねじ穴部６２２のねじの山径は丸穴部６２１の内径より大となっている。第２の耳片６５０の貫通穴６６０は、上記ねじ穴部６２２のねじの谷径と対応した内径の丸穴である。
【００２９】
支持軸３１０は、全体として断面円形をした金属製のパイプ状をしており、基端側の小径部３１１と、先端側の大径部３１２とを有する。小径部３１１の外径は、第１の耳片６１０の丸穴部６２１の内径と対応しており、この小径部３１１は、右方から、第２の耳片６５０の貫通穴６６０に挿通させた上、第１の耳片６１０の丸穴部６２１に挿入され、第１の耳片６１０の外面からねじ込んだ止めねじ６１１によって、実質的に操作管１００の第１部分１１０に固定されている。
【００３０】
グリップ部材３２０は、金属パイプ製の芯軸３３０と、この芯軸３３０を取り巻くように設けられたゴムあるいは合成樹脂製の表皮部３４０とを有する。芯軸３３０は、支持軸３１０の大径部３１２の外径と対応した内径を有する大径部３３１と、この大径部３３１の左方に連続し、支持軸３１０の小径部３１１の外径と対応した内径を有する小径部３３２とを有し、大径部３３１と小径部３３２との境界には段部３３３が形成されている。小径部３３２には、第２の耳片６５０の貫通穴６６０の内径と対応した外径の丸軸部３３４と、第１の耳片６１０のねじ穴部６２２に螺合するねじ軸部３３５とを有する。このグリップ部材３２０は、支持軸３１０に套嵌した状態で、芯軸３３０の小径部３３２を第２の耳片６５０の貫通穴６６０に挿通した上で、ねじ軸部３３５を第１の耳片６１０の貫通穴６２０のねじ穴部６２２に螺合させ、芯軸３３０の段部３３３が第２の耳片６５０の外面に当接するまで螺進させて組み合わせられる。なお、段部３３３と第２の耳片６５０の外面との間には、好ましくは、ワッシャ３５０が介装される。このグリップ部材３２０を締めつけ方向に回転（通常は右回転）させると、芯軸３３０は、その段部３３３が第２の耳片６５０の外面に当接して軸方向の移動が阻止されつつ回転させられるので、ねじ軸部３３５がねじ穴部６２２を螺進することにより、第１の耳片６１０が第２の耳片６５０に引き寄せられてスリット１１１の幅が縮小し、操作管１００の第１部分１１０が第２部分１２０を締めつけることとなって第１部分１１０と第２部分１２０との相対移動が不能な状態が選択される。このグリップ部材３２０を緩み方向に回転（通常は左回転）させると、ねじ軸部３３５とねじ穴部６２２における上記と逆の作用により、第１の耳片６１０と第２の耳片６５０との間隔が拡開してスリット１１１の幅が広がり、操作管１００の第１部分１１０による第２部分１２０の締めつけ状態が解除されて第１部分１１０と第２部分１２０との相対移動が可能な状態が選択される。
【００３１】
支持軸３１０の先端の大径部３１２には、上記したように、支持ブロック３８１を介してスロットルレバー３８２が設けられる。スロットルレバー３８２は、図３のＰ方向に回動操作するとスロットルケーブル３８４が引っ張られ、エンジン２１０の回転数が上昇する。スロットルケーブル３８４は、エンジン側に設けたばね（図示略）により、常時エンジン側に弾性的に引っ張られているので、スロットルレバー３８２は、通常状態においては、その回動範囲におけるＱ方向側に位置する。また、図３において符号３８３は、支持ブロック３８１の後方側の面に配置されたストップボタンを示す。このストップボタン３８３を押すことにより、エンジン２１０は緊急停止する。スロットルケーブル３８４およびストップボタン３８３に連携されるケーブル（図示略）は、支持軸３１０の内部を通ってその端部（左端部）から引き出され、エンジン２１０に引き回される。
【００３２】
次に、上記構成の携帯式動力刈払機１０Ａの作用について説明する。
【００３３】
作業者は、エンジン２１０を搭載した背負い枠２００を背負い、左手で左手用グリップハンドル５００を握持し、肘当て部材４００に右肘を支持させた上で、甲を下にした右手で右手用グリップハンドル３００を握持して、操作管１００を支持する。操作管１００は、作業者の両手で支持されるので、安定して操作管１００を振回して刈払い作業を行うことができる。甲を下にした右手の親指あるいは人差し指は、右手用グリップハンドル３００の右方（先端方）に位置するので、右手用グリップハンドル３００を握持したまま、人差し指でスロットルレバー３８２を操作してエンジン２１０の回転数（回転刃１７０の回転数）を制御することができ、また、親指でストップボタン３８３を押してエンジン２１０を緊急停止させることができる。
【００３４】
右手用グリップハンドル３００を握持したまま、グリップ部材３２０を回転させることにより、上記したように、操作管１００の第１部分１１０と第２部分１２０とが相対移動不能な状態と、相対移動可能な状態とを容易に選択することができる。
【００３５】
操作管１００の第１部分１１０と第２部分１２０とが相対移動可能な状態において、たとえば、左手用グリップハンドル５００を前方に押し出すようにして操作管１００の全長を伸長させると、可撓管１０３がその分、操作管１００の先端から内部に引き込まれるので、図２に仮想線で示すように、回転刃支持部材１６０は横方向軸１５１を中心として、回転刃１７０の前方が持ち上がるように回動する。また、左手用グリップハンドル５００を後方に引き寄せるようにして操作管１００の全長を短縮させると、可撓管１０３がその分、操作管１００の先端から伸び出るので、図２に実線で示すように、回転刃支持部材１６０は横方向軸１５１を中心として、回転刃１７０の前方が下がるように回動する。このようにして操作管１００に対する回転刃１７０の角度を所望のように調整した後は、グリップ部材３２０を締めつけ方向に回転させて第１部分１１０と第２部分１２０とが相対移動不能な状態を選択することにより、調整後の回転刃１７０の角度が維持される。
【００３６】
このように、上記構成の携帯式動力刈払機１０Ａによれば、回転刃１７０の角度調整、スロットルレバー３８２（スロットル制御手段３８０）の操作によるエンジン２１０の回転数の制御、ストップボタン３８３を押すことによるエンジン２１０の緊急停止といったすべての操作を、左手用グリップハンドル５００と右手用グリップハンドル３００を両手で握持し、操作管１００を安定的に支持した状態で行うことができる。
【００３７】
図６および図７は、第２の実施形態に係る携帯式動力刈払機１０Ｂを示す。
【００３８】
図６、図７に示すように、操作管１００の第１部分１１０の先端部の上面部分には、前端が開放し、第１部分１１０の軸線方向に延びるスリット１１１が形成され、当該第１部分１１０の先端の上面には、スリット１１１を挟むようにして第１の耳片６１０と第２の耳片６５０とが上方に向けて突出するようにして形成されている点、これら第１の耳片６１０と第２の耳片６５０は、所定の厚みをもっているとともに、共通の横方向に延びる軸線をもつ貫通穴６２０，６６０が形成されており、これら貫通穴６２０，６６０が形成された部位は、ボス状の形態となっている点、これら貫通穴６２０，６６０に支持軸３１０が固定状に支持されている点、支持軸３１０の先端（右端）に支持ブロック３８１を介してスロットルレバー３８２が揺動可能に支持され、当該支持ブロック３８１にはまたストップボタン３８３が設けられている点は、第１の実施形態と同様である。なお、支持軸３１０に套嵌されたグリップ部材３２０を緩み方向または締めつけ方向に回転させることにより、スリット１１１の幅を拡縮し、操作管１００の第１部分１１０と第２部分１２０との相対移動可能状態と相対移動不能状態とを選択できる点についても第１の実施形態と同様であるが、具体的構成が異なる。以下、説明する。
【００３９】
第１の耳片６１０の貫通穴６２０と、第２の耳片６５０の貫通穴６６０は、後記する支持軸３１０の小径部３１１の外径よりわずかに大の同一内径の丸穴である。支持軸３１０は、全体として断面円形をした金属製パイプ状をしており、基端側の小径部３１１と先端側の大径部３１２とを有し、小径部３１１が各貫通穴６２０，６６０に連通挿されるとともに、第２の耳片６５０の外面からねじこんだ止めねじ６１２によって、実質的に操作管１００の第１部分１１０に固定されている。
【００４０】
グリップ部材３２０は、金属パイプ製の芯軸３３０と、この芯軸３３０を取り巻くように設けられたゴムあるいは合成樹脂製の表皮部３４０とを有する。ただし、この実施形態では、このグリップ部材３２０の表皮部３４０が、支持軸３１０の大径部３１２における支持ブロック３８１より内方の部位を取り巻くように設けられたゴムあるいは合成樹脂製の表皮部３４１と協働して、グリップが形成されるように構成されている。芯軸３３０の基端側（左端側）には、これに内嵌させるようにして、支持軸３１０の小径部３１１に外嵌される軸方向貫通孔３３７を有するねじ軸部３３６が一体的に設けられている。ねじ軸部３３６は、第２の耳片６５０の外側に位置させたナット部材７１０のねじ穴７１１に螺合させられており、このナット部材７１０は、支持軸３１０の左端に嵌合する孔７２１を有して第１の耳片６１０の外面に位置させられる押圧片７２０と、これらナット部材７１０と押圧片７２０とを剛に連結する連結片７３０とからなる断面コ字状の締めつけ力伝達部材７００を構成している。ねじ軸部３３６の先端と第２の耳片６５０の外面との間には、好ましくは、ワッシャ３５０が介装される。このグリップ部材３２０を締めつけ方向に回転（通常は右回転）させると、ねじ軸部３３６は、その先端が第２の耳片６５０の外面に実質的に当接しながら回転し、このねじ軸部３３６が螺合するナット部材７１０を強制的に図７の右方に移動させる。この移動力は、連結片７３０を介して押圧片７２０に伝えられ、この押圧片７２０が第１の耳片６１０を押圧することにより第１の耳片６１０が第２の耳片６５０に近接させられてスリット１１１の幅が縮小し、操作管１００の第１部分１１０が第２部分１２０を締めつけることとなって第１部分１１０と第２部分１２０との相対移動が不能な状態が選択される。このグリップ部材３２０を緩み方向に回転（通常は左回転）させると、ねじ軸部３３６とナット部材７１０における上記と逆の作用により、第１の耳片６１０と第２の耳片６５０との間隔が拡開してスリット１１１の幅が広がり、操作管１００の第１部分１１０による第２部分１２０の締めつけ状態が解除されて第１部分１１０と第２部分１２０との相対移動が可能な状態が選択される。
【００４１】
上記構成の携帯式動力刈払機１０Ｂにおいても、図１ないし図５を参照して説明した携帯式動力刈払機１０Ａと同様の作用により、回転刃１７０の角度調整、スロットルレバー３８２（スロットル制御手段３８０）の操作によるエンジン２１０の回転数の制御、ストップボタン３８３を押すことによるエンジン２１０の緊急停止といったすべての操作を、左手用グリップハンドル５００と右手用グリップハンドル３００を両手で握持し、操作管１００を安定的に支持した状態で行うことができる。
【００４２】
もちろん、この発明の範囲は上記した実施形態に限定されるものではなく、各請求項に記載した事項の範囲内でのあらゆる変更は、すべて本発明の範囲に含まれる。
【００４３】
とりわけ、右手用グリップハンドルのグリップ部材を回転することにより、操作管の第１部分と第２部分との相対移動不能状態と相対移動可能状態とを選択するための構成は、各実施形態について説明した構成に限定されるものではない。
【符号の説明】
【００４４】
１０Ａ，１０Ｂ    携帯式動力刈払機
１００            操作管
１０１            伝動軸
１０２            鞘部材
１０３            可撓管
１１０            第１部分
１１１            スリット
１２０            第２部分
１６０            回転刃支持部材
１７０            回転刃
２００            背負い枠
２１０            エンジン（動力源）
２２０            可撓管
３００            右手用グリップハンドル
３１０            支持軸
３２０            グリップ部材
３３５            ねじ軸部
３８０            スロットル制御手段
３８１            支持ブロック
３８２            スロットルレバー
３８３            ストップボタン
４００            肘当て部材
５００            左手用グリップハンドル
６１０            第１の耳片
６５０            第２の耳片
【図１】
2014033660.tif 000003
【図２】
2014033660.tif 000004
【図３】
2014033660.tif 000005
【図４】
2014033660.tif 000006
【図５】
2014033660.tif 000007
【図６】
2014033660.tif 000008
【図７】
2014033660.tif 000009